(57)【特許請求の範囲】
【請求項１】
無線基地局から送信される着呼情報を該無線基地局が定める受信間隔で間欠受信すると共に、近距離無線データ通信仕様に基づく通信が可能な近距離通信端末と所定の時間間隔で間欠通信を行い、該近距離通信端末に着呼した旨を通知する無線通信端末であって、
前記無線基地局に対して待ち受け状態にあるときは、前記近距離通信端末との間欠通信の前記時間間隔を、前記無線基地局が定める前記受信間隔に対応して最適化させると共に、
前記無線基地局に対して待ち受け状態にないときは、近距離通信端末との前記間欠通信の時間間隔を所定の値に延長して設定する一方、この後、前記待ち受け状態に復帰したときは、前記近距離通信端末との間欠通信の前記時間間隔を、前記無線基地局が定める受信間隔に対応して最適化させる通信間隔制御手段が設けられていることを特徴とする無線通信端末。
【請求項２】
前記無線基地局と無線接続するための遠距離無線部と、
前記近距離通信端末と所定の距離の範囲内で無線接続するための近距離無線部とを有し、
前記通信間隔制御手段は、
前記遠距離無線部に対して、前記無線基地局から送信される前記着呼情報を該無線基地局が定めた受信間隔で間欠受信させ、かつ、
前記近距離無線部に対して、前記近距離通信端末との間欠通信の前記時間間隔を、前記無線基地局が定める前記受信間隔に対応して最適化させる構成とされていることを特徴とする請求項１記載の無線通信端末。
【請求項３】
前記通信間隔制御手段は、
前記近距離通信端末との間欠通信動作を、前記無線基地局から送信される前記着呼情報の間欠受信動作に同期させる構成とされていることを特徴とする請求項１又は２記載の無線通信端末。
【請求項４】
前記近距離通信端末及び近距離無線部は、
近距離無線データ通信技術Bluetooth （ブルートゥース）の無線通信仕様に基づいて構成されていることを特徴とする請求項２記載の無線通信端末。
【請求項５】
無線基地局から送信される着呼情報を該無線基地局が定める受信間隔で間欠受信すると共に、近距離無線データ通信の仕様に基づく近距離通信端末と所定の時間間隔で間欠通信を行い、該近距離通信端末に着呼した旨を通知する無線通信端末に用いられる省電制御方法であって、
前記無線基地局に対して待ち受け状態にあるときは、前記近距離通信端末との間欠通信の前記時間間隔を、前記無線基地局が定める前記受信間隔に対応して最適化させると共に、
前記無線基地局に対して待ち受け状態にないときは、近距離通信端末との前記間欠通信の時間間隔を所定の値に延長して設定し、この後、前記待ち受け状態に復帰したときは、前記近距離通信端末との間欠通信の前記時間間隔を、前記無線基地局が定める受信間隔に対応して最適化させることを特徴とする省電制御方法。
【請求項６】
前記近距離通信端末との間欠通信動作を、前記無線基地局から送信される前記着呼情報の間欠受信動作に同期させることを特徴とする請求項５記載の省電制御方法。
【請求項７】
コンピュータを、請求項１乃至４のいずれか一に記載の無線通信端末として機能させるための省電制御プログラム。
【発明の詳細な説明】
【技術分野】
【０００１】
この発明は、無線通信端末、該無線通信端末に用いられる省電制御方法及び省電制御御プログラムに係り、特に、近距離無線データ通信技術“Bluetooth ”（ブルートゥース、登録商標）仕様の近距離無線通信手段を有する携帯電話機などで消費電力を低減する場合に好適な無線通信端末、該無線通信端末に用いられる省電制御方法及び省電制御御プログラムに関する。
【背景技術】
【０００２】
ＧＳＭ（Global System for Mobile communications ）方式に基づく携帯電話機に代表される無線通信端末では、無線基地局に対して待ち受け状態にあるとき、同無線基地局から送信される着呼情報が同無線基地局により定められた受信間隔で間欠受信されることにより、内部のデバイスの動作頻度が削減され、消費電力が低減されるようになっている。また、近年では、Bluetooth 仕様のヘッドセット（Bluetooth Headset ）などと無線接続する機能（Bluetooth デバイス）を有する無線通信端末も製作されている。この無線通信端末がBluetooth デバイスによりBluetooth Headset と無線接続された場合、所定の時間間隔で間欠通信が行われる。
【０００３】
図５及び図６は、この種の無線通信端末の従来の動作を説明する図であり、横軸に経過時間、及び縦軸にBluetooth デバイスの消費電流値がとられている。
この種の無線通信端末では、無線基地局から送信される着呼情報が同無線基地局により定められた受信間隔で間欠受信され、たとえば図５に示すように、時間間隔Ｔ（たとえば、１２００ｍｓ）のタイミング［１］，［２］，［３］，［４］で同着呼情報の受信動作が行われる。また、Bluetooth Headset との間で、間欠通信間隔Ｔａ（たとえば、７００ｍｓ）毎に通信時間Ｔｂ（たとえば、６２５μｓ）で通信が行われる。この場合、Bluetooth Headset との間で通信が行われない時間Ｔは、６９９．３７５ｍｓとなる。そして、タイミング［４］で着呼が確認された場合、次の間欠通信が行われるタイミング［５］にてBluetooth Headset に着呼通知が行われる。この場合、間欠通信間隔Ｔａが比較的短く、Bluetooth デバイスが頻繁に動作するため、無線通信端末の電池消費が大きくなる傾向にあるが、タイミング［４］とタイミング［５］との間隔が比較的短いので、Bluetooth Headset に対する着呼通知の遅延が少ない傾向にある。
【０００４】
一方、図６に示すように、図５と同様に、タイミング［１］，［２］，［３］，［４］で着呼情報の受信動作が行われるが、間欠通信間隔Ｔａが２４００ｍｓであり、比較的長いので、Bluetooth デバイスの動作頻度が少なくなり、無線通信端末の電池消費が小さくなる傾向にある。この場合、Bluetooth Headset との間で通信が行われない時間Ｔは、２３９９．３７５ｍｓとなる。また、タイミング［４］とタイミング［５］との間隔が比較的長いので、Bluetooth Headset に対する着呼通知の遅延が大きい傾向にある。
【０００５】
上記の携帯電話機の他、従来、この種の技術としては、たとえば、次のような文献に記載されたものがある。
特許文献１に記載された携帯電話装置は、携帯アンテナにより無線通信が可能な携帯電話機として働く第１の無線部と、Bluetooth アンテナにより近距離無線データ通信が可能な第２の無線部と、無線通信及び近距離無線データ通信に際しての通信動作制御を行う制御部とを備えている。制御部では、無線通信時に第１の無線部に対して電源供給する電源供給制御を行い、無線通信が間欠待ち受け状態にある場合にのみ第２の無線部に対する電源供給を間欠的に行わせるための電源供給間欠制御を行い、無線通信が通話中である場合に、第２の無線部に対する電源供給を連続的に行わせるための電源供給連続制御を行う。
【０００６】
特許文献２に記載された移動通信端末は、移動通信用の第１の無線通信手段と、近距離無線データ通信用の第２の無線通信手段とを備えている。第１の無線通信手段は、無線基地局からの信号の到来を待ち受ける状態で、第１の期間毎に当該第１の期間よりも短く設定された第２の期間に受信動作を行い、他の期間には受信動作を行わない。第２の無線通信手段は、外部機器からの信号を待ち受ける状態で、第３の期間毎に当該第３の期間よりも短く設定され、かつ上記第２の期間の少なくとも一部に重なるように設定された第４の期間に受信動作を行い、他の期間には受信動作を行わない。このように、移動通信用の間欠受信動作と、近距離無線データ通信用の間欠受信動作とのタイミングが工夫されることにより、待ち受け時の消費電力が低減されてバッテリ寿命が延長される。
【０００７】
特許文献３に記載された電力消費を削減する方法では、ＣＤＭＡモジュールによって実施されるべき次のスケジュールされたＣＤＭＡ目覚ましプロセスに対する時間が、設定される。この後、次のブルートゥース目覚ましプロセスが実施されるようにスケジュールされる前に、次のＣＤＭＡ目覚ましプロセスが実行されるようにスケジュールされるのであれば、ブルートゥース目覚ましプロセスは、次のＣＤＭＡ目覚ましプロセスと同時にブルートゥースモジュールによって実施されるように同期される。この後、ＣＤＭＡモジュールが次のＣＤＭＡ目覚ましプロセスを実施する時刻に到達する場合、ブルートゥースモジュールもブルートゥース目覚ましプロセスを実施する。
【特許文献１】特開２００１−２９８７８０号公報（要約書、図１）
【特許文献２】特開２００３−３１８８０７号公報（第７頁、図１）
【特許文献３】特表２００５−５００７３３号公報（要約書、図３）
【発明の開示】
【発明が解決しようとする課題】
【０００８】
しかしながら、上記従来の無線通信端末では、次のような問題点があった。
すなわち、無線通信端末とBluetooth Headset との間欠通信間隔は、電池消費と同Bluetooth Headset への着呼通知の遅延とのトレードオフで設定されているため、同Bluetooth Headset との間欠通信間隔が長く設定されている場合では、同無線通信端末から同Bluetooth Headset に対する通知が遅くなり、間欠通信間隔が短く設定されている場合では、電池消費が大きくなるという問題点がある。また、無線基地局との間の通信環境の劣化などのようなセルの変遷及び圏外状態への変遷があった場合、これらの変遷以前の受信間隔が設定されたままとなり、電池消費が大きいという問題点がある。
【０００９】
また、特許文献１に記載された携帯電話装置では、無線通信の状態に応じて電源供給が制御されるため、この発明と動作は類似しているが、上記の問題点は改善されない。
【００１０】
特許文献２に記載された移動通信端末は、移動通信用の間欠受信動作と、近距離無線データ通信用の間欠受信動作とのタイミングが工夫されているが、無線基地局との間の通信環境の劣化に対して考慮されたものではないため、この発明と動作は類似しているが、上記の問題点は改善されない。
【００１１】
特許文献３に記載された電力消費を削減する方法では、ブルートゥース目覚ましプロセスが、次のＣＤＭＡ目覚ましプロセスと同時にブルートゥースモジュールによって実施されるため、この発明と動作は類似しているが、無線基地局との間の通信環境の劣化に対して考慮されたものではないため、上記の問題点は改善されない。
【００１２】
この発明は、上述の事情に鑑みてなされたもので、Bluetooth （ブルートゥース）仕様などの近距離無線通信手段の使用時において、無線基地局との間の通信環境の劣化などのようなセルの変遷及び圏外状態への変遷に応じて、利便性を損なうことなく電池消費が抑えられる無線通信端末を提供することを目的としている。
【課題を解決するための手段】
【００１３】
上記課題を解決するために、請求項１記載の発明は、無線基地局から送信される着呼情報を該無線基地局が定める受信間隔で間欠受信すると共に、近距離無線データ通信仕様に基づく通信が可能な近距離通信端末と所定の時間間隔で間欠通信を行い、該近距離通信端末に着呼した旨を通知する無線通信端末に係り、前記無線基地局に対して待ち受け状態にあるときは、前記近距離通信端末との間欠通信の前記時間間隔を、前記無線基地局が定める前記受信間隔に対応して最適化させると共に、前記無線基地局に対して待ち受け状態にないときは、近距離通信端末との前記間欠通信の時間間隔を所定の値に延長して設定する一方、この後、前記待ち受け状態に復帰したときは、前記近距離通信端末との間欠通信の前記時間間隔を、前記無線基地局が定める受信間隔に対応して最適化させる通信間隔制御手段が設けられていることを特徴としている。
【００１４】
請求項２記載の発明は、請求項１記載の無線通信端末に係り、前記無線基地局と無線接続するための遠距離無線部と、前記近距離通信端末と所定の距離の範囲内で無線接続するための近距離無線部とを有し、前記通信間隔制御手段は、前記遠距離無線部に対して、前記無線基地局から送信される前記着呼情報を該無線基地局が定めた受信間隔で間欠受信させ、かつ、前記近距離無線部に対して、前記近距離通信端末との間欠通信の前記時間間隔を、前記無線基地局が定める前記受信間隔に対応して最適化させる構成とされていることを特徴としている。
【００１５】
請求項３記載の発明は、請求項１又は２記載の無線通信端末に係り、前記通信間隔制御手段は、前記近距離通信端末との間欠通信動作を、前記無線基地局から送信される前記着呼情報の間欠受信動作に同期させる構成とされていることを特徴としている。
【００１７】
請求項４記載の発明は、請求項２記載の無線通信端末に係り、前記近距離通信端末及び近距離無線部は、近距離無線データ通信技術Bluetooth （ブルートゥース）の無線通信仕様に基づいて構成されていることを特徴としている。
【００１８】
請求項５記載の発明は、無線基地局から送信される着呼情報を該無線基地局が定める受信間隔で間欠受信すると共に、近距離無線データ通信の仕様に基づく近距離通信端末と所定の時間間隔で間欠通信を行い、該近距離通信端末に着呼した旨を通知する無線通信端末に用いられる省電制御方法に係り、前記無線基地局に対して待ち受け状態にあるときは、前記近距離通信端末との間欠通信の前記時間間隔を、前記無線基地局が定める前記受信間隔に対応して最適化させると共に、前記無線基地局に対して待ち受け状態にないときは、近距離通信端末との前記間欠通信の時間間隔を所定の値に延長して設定し、この後、前記待ち受け状態に復帰したときは、前記近距離通信端末との間欠通信の前記時間間隔を、前記無線基地局が定める受信間隔に対応して最適化させることを特徴としている。
【００１９】
請求項６記載の発明は、請求項５記載の省電制御方法に係り、前記近距離通信端末との間欠通信動作を、前記無線基地局から送信される前記着呼情報の間欠受信動作に同期させることを特徴としている。
【００２１】
請求項７記載の発明は、省電制御プログラムに係り、コンピュータを、請求項１乃至４のいずれか一に記載の無線通信端末として機能させることを特徴としている。
【発明の効果】
【００２２】
この発明の構成によれば、近距離通信端末との間欠通信の時間間隔を、無線基地局が定めた受信間隔に対応して変化させる通信間隔制御手段が設けられているので、同近距離通信端末への着呼通知に遅延が生じることを回避できる。また、無線基地局からの着呼情報の間欠受信動作と、近距離通信端末との間欠通信動作とが同期しているので、同近距離通信端末への着呼通知に遅延が生じることを回避できる。また、近距離通信端末との間欠通信動作の時間間隔が同近距離通信端末への着呼通知に遅延が生じない時間幅に設定されるので、同近距離通信端末の使用時の利便性を損なうことなく、消費電力を抑えることができる。また、通信間隔制御手段は、着呼情報が受信されないとき、近距離通信端末との間欠通信の時間間隔を所定の値に延長して設定し、再び着呼情報が受信されたとき、同近距離通信端末との間欠通信の時間間隔を、当該無線基地局により指示された受信間隔に対応して変化させる構成とされているので、同近距離通信端末の使用時の利便性を損なうことなく、消費電力を抑えることができる。
【発明を実施するための最良の形態】
【００２３】
Bluetooth 仕様の近距離無線通信手段を保持し、待ち受け状態に応じて、Bluetooth Headset （ヘッドセット）などの近距離通信端末との間欠通信の処理間隔を、最適な値に変化させ、特に、無線基地局からの着呼情報の間欠受信動作と、近距離通信端末との間欠通信動作とを同期させる無線通信端末を提供する。
【実施例１】
【００２４】
図１は、この発明の第１の実施例である無線通信端末の要部の電気的構成を示すブロック図である。
この例の無線通信端末１０は、携帯電話機であり、同図に示すように、無線部１１と、アンテナ１１ａと、ベースバンド部１２と、制御部１３と、表示・操作部１４と、記憶部１５と、Bluetooth デバイス１６と、アンテナ１６ａと、電池１７とから構成されている。無線部１１は、アンテナ１１ａを介して無線基地局２０と無線接続され、制御部１３の制御に基づいて、ベースバンド部１２から入力される信号を同無線基地局２０に電波Ｗにより送信すると共に、同無線基地局２０から送信される信号を検索及び受信してベースバンド部１２に送出する。特に、この実施例では、無線部１１は、無線基地局２０から送信される着呼情報を同無線基地局２０により定められた受信間隔で間欠受信する。無線基地局２０は、図示しない在圏移動通信交換局及び関門移動通信交換局を介して一般電話回線網に接続されている。
【００２５】
ベースバンド部１２は、制御部１３により指定されるデータのベースバンド処理を行った後に無線部１１に出力し、同無線部１１から入力される信号のベースバンド処理を行う。制御部１３は、無線通信端末１０全体を制御するＣＰＵ（中央処理装置）１３ａを有し、記憶部１５は、同ＣＰＵ１３２ａを動作させるための省電制御プログラムが記録されたＲＯＭ（リード・オンリ・メモリ）１５ａを有している。表示・操作部１４は、たとえば液晶表示装置及びキースイッチなどで構成され、制御部１３の制御に基づいて、ユーザに対して各データの表示を行うと共に、ユーザが入力した操作内容に対応した信号を同制御部１３に送出する。
【００２６】
Bluetooth デバイス１６は、近距離無線データ通信技術“Bluetooth ”（ブルートゥース）の無線通信仕様に基づく通信が可能に構成され、所定の距離の範囲内でBluetooth Headset （以下、「ヘッドセット」という）３０と無線接続できるようになっている。また、ヘッドセット３０も、Bluetooth の無線通信仕様に基づいて構成されている。そして、Bluetooth デバイス１６は、制御部１３の制御に基づいて、所定値に設定された時間間隔で同ヘッドセット３０とアンテナ１６ａを介して間欠通信を行い、同ヘッドセット３０に着呼した旨を通知し、特に、この実施例では、同ヘッドセット３０との間欠通信の時間間隔を、無線基地局２０により定められた受信間隔に対応して最適化させ、同ヘッドセット３０との間欠通信動作を、同無線基地局２０から送信される着呼情報の間欠受信動作に同期させる構成となっている。電池１７は、たとえばリチウムイオン電池などの二次電池で構成され、この無線通信端末１０の各部に必要な電源を供給する。
【００２７】
図２は、図１の無線通信端末１０の動作を説明するフローチャート、及び図３が、図１中のBluetooth デバイス１６の動作を説明する図である。
これらの図を参照して、この例の無線通信端末に用いられる省電制御方法の処理内容について説明する。
この無線通信端末１０では、Bluetooth デバイス１６によるヘッドセット３０との間欠通信の時間間隔が、無線基地局２０により定められた受信間隔に対応して最適化し、同ヘッドセット３０との間欠通信動作が、同無線基地局２０から送信される着呼情報の間欠受信動作に同期する。
【００２８】
すなわち、図２に示すように、無線通信端末１０が無線基地局２０に対して待ち受け状態にあり、ユーザ操作によりヘッドセット３０と無線接続されたとき（ステップＡ１）、制御部１３により、無線基地局２０から送信される着呼情報の間欠受信間隔の設定が確認され、ここで取得した間欠受信間隔の値をＡ（ｓｅｃ）とする（ステップＡ２）。ここで、ヘッドセット３０との間欠通信の間隔がＡ（ｓｅｃ）に設定され、着呼情報の間欠受信動作と同ヘッドセット３１の間欠通信動作とを同期させる（ステップＡ３）。この設定状態で動作が継続する（ステップＡ４）。
【００２９】
また、待ち受け状況が変遷することにより、無線基地局２０から送信される着呼情報の間欠受信間隔が変化した場合（ステップＡ５，Ｙｅｓ）、再びステップＡ２へ戻り、同無線基地局２０から送信される着呼情報の間欠受信間隔の設定が確認され、ここで改めて取得された間欠受信間隔の値がヘッドセット３０との間欠通信の間隔に設定され、着呼情報の間欠受信動作と同ヘッドセット３０の間欠通信動作とを同期させる（ステップＡ３）。また、無線基地局２０から送信される着呼情報の間欠受信間隔が変化した場合（ステップＡ５，Ｎｏ）、ステップＡ４に戻り、動作が継続する。この場合、図３に示すように、時間間隔Ｔ（たとえば、１２００ｍｓ）のタイミング［１］，［２］，［３］，［４］で着呼情報の受信動作が行われ、また、ヘッドセット３０との間で、間欠通信間隔Ｔａ（たとえば、１２００ｍｓ）毎に通信時間Ｔｂ（たとえば、６２５μｓ）で通信が行われる。この場合、ヘッドセット３０との間で通信が行われない時間Ｔは、１１９９．３７５ｍｓとなる。そして、タイミング［４］に同期したタイミング［５］にてヘッドセット３０に着呼通知が行われる。このため、ヘッドセット３０に対する着呼通知の遅延がなく、また、電池消費が特に大きくはならない（中程度）。
【００３０】
以上のように、この第１の実施例では、無線基地局２０からの着呼情報の間欠受信動作と、ヘッドセット３０との間欠通信動作とが同期しているので、同ヘッドセット３０への着呼通知に遅延が生じない。また、ヘッドセット３０との間欠通信動作の時間間隔が同ヘッドセット３０への着呼通知に遅延が生じない時間幅に設定されるので、同ヘッドセット３０の使用時の利便性を損なうことなく、電池消費が抑えられる。
【実施例２】
【００３１】
図４は、この発明の第２の実施例である無線通信端末に用いられる省電制御方法の処理内容を説明するフローチャートである。
この例の省電制御方法では、無線基地局２０から送信される着呼情報が受信されないとき、ヘッドセット３０との間欠通信の時間間隔が所定の値（十分に長い時間間隔）に延長して設定され、この後、同着呼情報が受信されたとき、同ヘッドセット３０との間欠通信の時間間隔を、無線基地局２０により定められた受信間隔に対応して最適化する。
【００３２】
すなわち、同図４に示すように、ユーザ操作によりヘッドセット３０と無線接続されたとき（ステップＢ１）、制御部１３により、無線通信端末１０が無線基地局２０に対して待ち受け状態にあるか否かが判定され、無線基地局２０との通信環境が劣化することなどにより通信が維持されず、待ち受け状態にないとき（ステップＢ２，Ｎｏ）、ヘッドセット３０との間欠通信間隔が十分に長い時間間隔Ｂ（ｓｅｃ）に設定される（ステップＢ８）。この設定状態で動作が継続する（ステップＢ９）。この後、制御部１３により、無線通信端末１０が無線基地局２０に対して待ち受け状態に復帰したと判定されたとき（ステップＢ１０，Ｙｅｓ）、ステップＢ３へ進み、図２中のステップＡ２と同様の処理が行われる。また、無線通信端末１０が無線基地局２０に対して待ち受け状態にないと判定されたとき（ステップＢ１０，Ｎｏ）、ステップＢ９へ戻る。
【００３３】
また、図２中のステップＡ４と同様のステップＢ５の後、制御部１３により、無線通信端末１０が無線基地局２０に対して待ち受け状態にあるか否かが判定され、待ち受け状態にないとき（ステップＢ６，Ｎｏ）、上記ステップＢ８へ進む。また、無線通信端末１０が無線基地局２０に対して待ち受け状態にあるとき（ステップＢ６，Ｙｅｓ）、図２中のステップＡ５と同様のステップＢ７へ進む。
【００３４】
以上のように、この第２の実施例では、無線基地局２０から送信される着呼情報が受信されないとき、ヘッドセット３０との間欠通信の時間間隔が十分に長い時間間隔に延長して設定されるので、ヘッドセット３０の使用時の利便性を損なうことなく、電池消費が抑えられる。
【００３５】
以上、この発明の実施例を図面により詳述してきたが、具体的な構成は同実施例に限られるものではなく、この発明の要旨を逸脱しない範囲の設計の変更などがあっても、この発明に含まれる。
たとえば、上記実施例では、Bluetooth の無線通信仕様に基づいて構成されたBluetooth デバイス１６及びヘッドセット３０が用いられているが、たとえば無線ＬＡＮなどのように、待ち受け時に無線通信端末の着呼情報の間欠通信を行うことにより省電力化が行われ、無線通信端末の指示により、間欠通信間隔を設定及び変更が可能な通信方式に基づいたものであれば、任意のもので良い。また、上記実施例では、無線通信端末１０は携帯電話機であるが、たとえば、ＰＤＡ（Personal Digital Assistants ）や固定無線端末などでも良く、また、近距離通信端末は、ヘッドセット３０に限らず、Bluetooth の無線通信仕様に基づいて構成された、たとえばノートパソコン、デジタルカメラ、電子辞書、電子手帳などでも、上記実施例とほぼ同様の作用、効果が得られる。
【産業上の利用可能性】
【００３６】
この発明は、Bluetooth 仕様のような近距離無線通信手段を有する携帯電話機などの無線通信端末全般に適用でき、特に、無線基地局との間の通信環境の劣化などが発生する場所で用いて有効である。
【図面の簡単な説明】
【００３７】
【図１】この発明の第１の実施例である無線通信端末の要部の電気的構成を示すブロック図である。
【図２】図１の無線通信端末１０の動作を説明するフローチャートである。
【図３】図１中のBluetooth デバイス１６の動作を説明する図である。
【図４】この発明の第２の実施例である無線通信端末に用いられる省電制御方法の処理内容を説明するフローチャートである。
【図５】従来の無線通信端末においてヘッドセットの間欠通信間隔が短い場合のBluetooth デバイスの消費電流値を示す説明図である。
【図６】従来の無線通信端末においてBluetooth Headset の間欠通信間隔が短い場合のBluetooth デバイスの消費電流値示す説明図である。
【符号の説明】
【００３８】
１０      無線通信端末
１１      無線部（遠距離無線部、無線通信端末の一部）
１１ａ      アンテナ（無線通信端末の一部）
１２      ベースバンド部（無線通信端末の一部）
１３      制御部（通信間隔制御手段の一部）
１３ａ      ＣＰＵ（中央処理装置）（通信間隔制御手段の一部）
１４      表示・操作部（無線通信端末の一部）
１５      記憶部（通信間隔制御手段の一部）
１５ａ      ＲＯＭ（リード・オンリ・メモリ）（通信間隔制御手段の一部）
１６      Bluetooth デバイス（近距離無線部の一部）
１６ａ      アンテナ（近距離無線部の一部）
１７      電池（無線通信端末の一部）
２０      無線基地局
３０      ヘッドセット（Bluetooth Headset 、近距離通信端末）
【図１】
0005224644.tif 000002
【図２】
0005224644.tif 000003
【図３】
0005224644.tif 000004
【図４】
0005224644.tif 000005
【図５】
0005224644.tif 000006
【図６】
0005224644.tif 000007